(57)【要約】【課題】電磁力を使用せず、磁力のみを動力源とする磁力回転機を提供する。磁力のみの回転は力が弱く、すぐ静止するので、これらを解決して連続回転を得たい。【解決手段】（１）固定子の磁極は、異磁極（ＮとＳ）が対で一組となり、電磁極（ＮとＳに変化：吸引と反発）の代わりをする。  回転子は、両面が異磁極（軸方向）の磁力回転子である。  円筒形や円柱形の磁力回転子は、両面が異磁極で、磁端は歯型にして回転方向を定める。（２）回転機は、中央（中性体）より軸方向に左右対称の異磁極を配設する事により、回転機の両面に独立した磁界を発生させ、同方向にする事により回転を倍増し、更に数機を連結して回転力を強化する。2007110883.tif 000002
【特許請求の範囲】
【請求項１】
磁力回転機の磁極は、片面が相互に接着した異磁極の組み合わせを一磁極として配設することを特徴とする磁力回転機。
【請求項２】
磁力回転機は、各々独立した複数の磁界が発生し、同方向に回転する事を特徴とする磁力回転機。
【請求項３】
磁力回転機の磁極は、異磁極が左右反極（回転機中央の中性体より軸方向）に配設する事を特徴とする磁力回転機。
【請求項４】
磁力回転機の固定子と回転子のうち、少なくともどちらか一子の磁極は全て同極なることを特徴とする磁力回転機。
【請求項５】
磁力回転機の磁極の磁端は歯型（波型）を有する事を特徴とする磁力回転機。
【請求項６】
当発明の磁力回転機が連結してなる連結磁力回転機。
【請求項７】
当発明の磁力回転機が発電機と連動した磁力発電機。
【発明の詳細な説明】
【発明の詳細な説明】
【技術分野】
【０００１】本発明は、回転機に係り、特に磁力のみで回転する回転機の磁極と磁界に関する。
【背景技術】
【０００２】従来は、水力、火力、風力等による回転子の回転で起電した電力によって、コイルに電流を流して得た起電力と、永久磁石の磁力との組み合わせによって、回転する電動機が主流である。従来の発電機は、電流を３変化（正流、切断、逆流）させて一磁極に３役（Ｎ極、中立、Ｓ極）を与え、これに応じて固定子と回転子に配設した磁極が相互に３変動（吸引、停止、反発）を繰り返す事により連続回転が得られた。電動機が連続回転を保持するには、当然電力が連続消費される。
【発明が解決しようとする課題】
【０００３】従来の回転機のうち、多用されている電動機は、コイルに電流を流して、発生させた電磁力と永久磁石より発生する磁力の組み合わせにて回転力を得る。電流を流す事は、電力を消費するので、電力消費の無い磁力のみで、連続した回転力を得たい。従来試みられた磁力のみの回転機は、▲１▼回転力が弱い▲２▼静止（安定）してしまう。従って、「無から有は生じない」と誤解されて、開発に消極的であった。本発明の磁力回転機は、電磁力を使用せずに▲１▼磁力のみで回転力を得て、静止を防いで連続回転する。▲２▼更に、負荷に耐えられる回転力を得る事が解決しようとする課題である。
【課題を解決する為の手段】
【０００４】１．磁力回転機が静止しない為には、▲１▼  固定子と回転子のうち、少なくともどちらか一子は回転面上で、全て同磁極（Ｎ、又はＳ）である。（ただし、軸方向は左右対称の異磁極）［図１、図３、図４、図５］▲２▼  固定子が回転面上で異磁極（ＮとＳ）の場合は、磁極の片面が相互に接着した異磁極（ＮとＳ）組み合わせの一対を、電磁力（ＮとＳが共通で１極）に替わる一時極として配設する。配設位置は、回転機の回転面にて、接着面（点）が中心線より、左右対称に配設し、又、円接線に略平行して配設する。［図１］▲３▼  異磁極の接着面（点）が最短磁束となる。円と水平面などの空間で発生する磁束の長短により、静止せずに連続回転を得る［図１］▲４▼  回転子が回転面で異磁極（ＮとＳ）の場合は、円心線上（頂点）での吸引と反発の切り替え避けて、円接線に平行して左右対称の円最近接点に配設する。［図７］２．▲１▼  磁力回転機の磁極は、異磁極が（回転機中央の中性体より回転軸の方向へ）左右対称で、かつ対磁極に配設する。［図３、図４、図５］円筒形磁力固定子及び円柱形磁力回転子の磁端は、更に歯型ヨークを固着して、回転方向を決定する。［図８、図９］▲２▼  記▲１▼の配設により、各々独立した複数の磁界が回転機の両面等に発生する。同方向に回転させることにより回転力が倍層する。［図３、図４、図５］▲３▼  回転機は、コイルを要せず、部材も左右対称に効率よく利用ができるので、薄型が可能となる。薄型磁力回転機を連結して（直列：並列も可）回転力を強化し、更に、発電機と連動して起電力を得る。［図６］
【実施例】
【０００５】電磁力の磁極（一磁極が吸引、中立、反発の３役）に代えて、磁力の磁極（一磁極は永久に同磁極：Ｎは永久にＮ、Ｓは永久にＳ）で吸引と反発を行う。［図１］１．回転が静止するのを防ぐ。回転機は固定子と回転子で構成されている。［図１、図３、図５］（１）回転子（図１、図３、図５）は回転型磁極（軸方向に異磁極が左右対称）。左面は全て対極（Ｎ）となる。（図１、図、図５）（２）固定子（図１、図３、図５）の磁極は異極相互（ＮとＳ）で密着した異磁極の組み合わせを一磁極として、従来の電磁力磁極の役割（吸引と反発）に代える。［図１、図３、図５］異極接着面は円心線を中心として、左右対称（図１の上下方向）とし、更に円接線に最近接の略平行線上（図１の左右方向）に配設する。［図１］（３）磁束：固定子磁極と回転子磁極との間で磁束が発生する。［図１］最短磁束は、異磁極（ＮとＳ）の接着点（面）である。［図１］▲１▼吸引：接着点（面）のある中心線より左側▲２▼反発：接着点（面）のある中心線より右側▲３▼中立（切り替え）：接着点（面）のある中心線上［最短磁束］吸引［ＮとＳ］から反発［ＳとＳ］へと変化するので静止せずに回転を繰り返す。［連続回転］２．回転力の強化を計る。（１）  本発明の磁力回転機（固定子と回転子）の磁極は、回転機の中央（中性体）より回転軸方向へ左右対称に異磁極を配設（図４）するので、回転機の左右両面（図３、図５）に各々個別の磁界が発生する。回転を同方向にする事により回転力が倍増する。（図３、図４、図５）（２）  円筒及び円柱磁石が、軸方向への異極交互の組み合わせによって複数の独立磁界を発生させ回転力を得る。（図６−２）（３）  本発明の磁力回転機は、薄型なので、用途に応じて数機連結する事により更に回転力を強化する（図６−１）（４）  尚、本発明の磁力回転機を発電機に連動させて起電力を得る。（図６−１）
【発明の効果】
【０００６】本発明の磁力回転機は、自己の磁力が動力源となるので、他から動力源を必要としない。従来のエネルギー源であった電力等が不要になる。（１）  本発明は、自転車、自動車等の回転軸の回転力補強に利用出来る。（２）  本発明は、小型化して種々の小型モーターとして活用すれば電池が不要になる。（３）  本発明は、家庭用の発電機として、ソーラー発電の起電補助等として連続活用出来る。（４）  本発明と発電機の連動により、送電線の無い辺地に設置して、石油等のエネルギー無しで、連続して起電力を得ることが出来る。（５）  その他：従来「無から有は生じない」として、あまり研究開発されなかったが、「重い、弱い、高価な」の３点を更に改善すれば、新たなエネルギー源の一つとして利用でき、環境問題解決の一助となる。
【図面の簡単な説明】
【０００７】
【図１】片面接着異磁極の拡大説明図（１）異磁極（ＮとＳ）が隔離体１０をはさんで片面のみ相互に接着した異極の組み合わせを一磁極６とする（２）固定子１：上記（１）の配設は▲１▼図面の左右は、円中心線より左右対称。▲２▼図面の上下は、円接線に略平行（回転子円周より少し大きな円弧上を含む）▲３▼回転子２円周に最近接面（点）にして、かつ接触の無い事。（３）回転子２：▲１▼円柱型磁極で、回転軸３方向の左面は全て同極で右面はその反極。▲２▼両面の磁端は、歯型（波型）ヨーク５を固着して、歯型角度でも回転方向を決める。（４）磁束７：両子磁極間（円周面と略平行線面の間）に磁束７が発生し、円中心線（異磁極の片面が相互に接着する面）より左側：吸引線上：中立（磁束７は最短であり、磁力は吸引と反発で引き合う。又、吸引と反発の切替点でもある。）右側：反発（５）磁極（磁端）：固定子磁極（磁端）と回転子磁極（磁端）は、左右対称が少しずれていて、奇数対偶数が滑らかな回転を得る。［図７：回転子の左右の磁極］［図９：固定子磁極は奇数で回転子磁極は偶数の例］
【図２】正面図：本発明の両面磁界型の正面図
【図３】左側図面：固定子の磁極は、片面接着異磁極（右の反極）回転子は回転軸方向に左右反極の円柱形磁力回転子（歯型ヨーク固着）（右の反極）
【図４】断面図：（１）磁極（固定子と回転子共）は、回転軸方向の左右回転面に異磁極を配設する。（２）各々独立した磁界が回転機の左右両面に発生する。（３）回転軸が同方向に回転するように左右の磁極を配設する。
【図５】右側図面：固定子の磁極は、片面接着異磁極（左の反極）回転子は、回転軸方向に左右反極の円柱形磁力回転子（歯型ヨークが固着）（左の反極）
【図６−１】断面図：磁力回転機がお互いに連結して、更に発電機と連動した磁力発電機の断面図。
【図６−２】断面図：円柱型及び円筒型の磁力回転子（両子は相互に反極）の磁極が、回転軸方向に異磁極交互の組み合わせによって配設した強力磁力回転機の断面図。
【図７−１】左断面図：固定子は全て同極で右の反極
【図７−２】断面図：軸方向に左右対称で対磁極（回転子磁極は左右で若干ずらした例）
【図７−３】右断面図：回転子は片面接着異磁極。（ＮとＳ）左の反極
【図８−１】左断面図：固定子は全て同極で回転子も全て同極で、両子共に同極
【図８−２】断面図：軸方向に左右対称で対磁極［反発力利用型］
【図８−３】右断面図：左の反極
【図９−１】左断面図：固定子は全て同極で回転子も全て同極（歯型ヨーク固着）で、両子間は異磁極
【図９−２】断面図：軸方向に左右対称で対磁極［吸引力利用型］
【図９−３】右断面図：左の反極
【符号の説明】
【０００８】１．固定子２．回転子３．回転軸４．回転軸支柱５．ヨーク（磁性体）６．片面接着異磁極（ＮとＳが隔離体を中心に隣接）７．磁束８．発電機９．固定台１０．隔離体（磁力透過の劣る部材）１１．ポールピース
【図１】
2007110883.tif 000003
【図２】
2007110883.tif 000004
【図３】
2007110883.tif 000005
【図４】
2007110883.tif 000006
【図５】
2007110883.tif 000007
【図６−１】
2007110883.tif 000008
【図６−２】
2007110883.tif 000009
【図７−１】
2007110883.tif 000010
【図７−２】
2007110883.tif 000011
【図７−３】
2007110883.tif 000012
【図８−１】
2007110883.tif 000013
【図８−２】
2007110883.tif 000014
【図８−３】
2007110883.tif 000015
【図９−１】
2007110883.tif 000016
【図９−２】
2007110883.tif 000017
【図９−３】
2007110883.tif 000018